(57)【要約】【課題】空容器の運送効率が良く、かつ、飲料を容易に充填できる飲料ディスペンサ用カートリッジ容器を提供することである。【解決手段】側壁部３を薄肉に形成して柔軟性を持たせ、側壁部３を折り畳み可能として、空容器の運送効率を良くするとともに、筒口部４の周りに鍔７を設け、筒口部４を上向の状態で鍔７を係止具１１の二股の係止部材１１ｂで吊り下げ係止することにより、筒口部４の位置を安定に保持して、筒口部４から注入される飲料の重量で側壁部３が自然に伸張するようにし、飲料を容易に充填できるようにした。【選択図】図３
2006131277.tif 000002
【特許請求の範囲】
【請求項１】
底部と側壁部と飲料の出し入れ口となる筒口部が設けられた頂部とから成り、前記筒口部を下向きにして飲料ディスペンサの供給口に接続され、充填された飲料を飲料ディスペンサに供給する飲料ディスペンサ用カートリッジ容器において、少なくとも前記側壁部に柔軟性を持たせて、側壁部を折り畳み可能とし、前記筒口部を上向の状態で吊り下げ係止する係止部を設けたことを特徴とする飲料ディスペンサ用カートリッジ容器。
【請求項２】
前記係止部を、前記筒口部の周りに設けた鍔とした請求項１に記載の飲料ディスペンサ用カートリッジ容器。
【請求項３】
前記係止部を、前記筒口部の周りに設けた凹溝とした請求項１に記載の飲料ディスペンサ用カートリッジ容器。
【発明の詳細な説明】
【技術分野】
【０００１】
本発明は、飲料ディスペンサ用カートリッジ容器に関する。
【背景技術】
【０００２】
飲料水やジュース等の飲料ディスペンサには、飲料を充填したカートリッジ容器を用い、その上面に設けられた飲料の供給口に、カートリッジ容器の頂部に設けられた飲料の出し入れ口である筒口部を下向きにして接続するようにしたものがある。
【０００３】
この種の飲料ディスペンサに用いられている従来のカートリッジ容器は、底部、側壁部および筒口部が設けられた頂部の全体に剛性を持たせて合成樹脂等で形成されており、使用後に空となったカートリッジ容器は、再使用されるか、使い捨てにされている。
【発明の開示】
【発明が解決しようとする課題】
【０００４】
上述した従来の飲料ディスペンサ用カートリッジ容器は、全体に剛性を持たせて形成されているので、使用後に空になったものを再使用や廃棄のために運送するのに嵩張り、運送効率が悪い。本発明者は、このように空になったカートリッジ容器を効率よく運送できるように、少なくとも容器の側壁部に柔軟性を持たせて、側壁部を折り畳み可能とすることを先に提案している（特願２００４−２９３２８８）。
【０００５】
しかしながら、このように側壁部に柔軟性を持たせたカートリッジ容器は、筒口部を上向きにして飲料を充填する際に側壁部が直立せず、かつ、筒口部の位置も不安定となるので、飲料の充填に非常に手間がかかる問題がある。
【０００６】
そこで、本発明の課題は、空容器の運送効率が良く、かつ、飲料を容易に充填できる飲料ディスペンサ用カートリッジ容器を提供することである。
【課題を解決するための手段】
【０００７】
上記の課題を解決するために、本発明は、底部と側壁部と飲料の出し入れ口となる筒口部が設けられた頂部とから成り、前記筒口部を下向きにして飲料ディスペンサの供給口に接続され、充填された飲料を飲料ディスペンサに供給する飲料ディスペンサ用カートリッジ容器において、少なくとも前記側壁部に柔軟性を持たせて、側壁部を折り畳み可能とし、前記筒口部を上向の状態で吊り下げ係止する係止部を設けた構成を採用した。
【０００８】
すなわち、少なくとも側壁部に柔軟性を持たせて、側壁部を折り畳み可能とすることにより、空容器の運送効率を良くするとともに、筒口部を上向の状態で係止する吊り下げ係止部を設けることにより、この係止部で筒口部の位置を安定に保持して、この筒口部から注入される飲料の重量で側壁部が自然に伸張するようにし、飲料を容易に充填できるようにした。
【０００９】
前記係止部は、前記筒口部の周りに設けた鍔または凹溝とすることができる。
【発明の効果】
【００１０】
本発明の飲料ディスペンサ用カートリッジ容器は、少なくとも側壁部に柔軟性を持たせて、側壁部を折り畳み可能とし、筒口部を上向の状態で吊り下げ係止する係止部を設けたので、空容器の運送効率を良くするとともに、係止部で筒口部の位置を安定に保持して、筒口部から注入される飲料の重量で側壁部が自然に伸張するようにし、飲料を容易に充填できるようにした。
【発明を実施するための最良の形態】
【００１１】
以下、図面に基づき、この発明の実施形態を説明する。図１乃至図４は、第１の実施形態を示す。この飲料ディスペンサ用カートリッジ容器１は、図１（ａ）、（ｂ）に示すように、角形のボトル状とされ、底部２、側壁部３および飲料の出し入れ口となる筒口部４の設けられた頂部５が、熱可塑性樹脂であるポリエチレン樹脂で一体に形成され、筒口部４には内部に充填される飲料水やジュース等の飲料を封止するキャップ６が取り付けられている。また、後述するように、飲料を充填する際に筒口部４を上向の状態で吊り下げ係止する係止部としての鍔７が設けられ、底部２には筒口部４を下向きにして吊り下げるための把手８が取り付けられている。
【００１２】
前記底部２と側壁部３は柔軟性を持たせるために薄肉に形成され、図２に示すように、使用後に空となったカートリッジ容器１は、側壁部３がコンパクトに折り畳まれて、再使用や廃棄のために効率よく運送できるようになっている。なお、筒口部４を含む頂部５は、後述する飲料ディスペンサ１２の供給口１２ａに筒口部４を接続する際に剛性を持たせるために、厚肉に形成されている。
【００１３】
図３は、前記カートリッジ容器１に飲料を充填する状態を示す。ホース１０から飲料を注入される筒口部４は、係止具１１の棒部材１１ａに取り付けた二股の係止部材１１ｂによって鍔７の下側で釣り下げ係止されている。したがって、筒口部４がホース１０の出口の下方に安定して固定され、飲料の注入に伴ってその重量で側壁部３が二点鎖線で示すように自然に伸張するので、飲料を容易に充填することができる。
【００１４】
図４は、前記カートリッジ容器１を飲料ディスペンサ１２にセットした状態を示す。カートリッジ容器１は、筒口部４を下に向け、キャップ６を突き破られて、飲料ディスペンサ１２の上面に設けられた供給口１２ａに接続されており、供給口１２ａの周りに設けられた支持枠１３によって、筒口部４の周りの頂部５が支持されるとともに、柔軟な側壁部３が下方に崩れないように囲われている。
【００１５】
前記飲料ディスペンサ１２は、供給口１２ａがフロート弁１２ｂを介してタンク１２ｃに連通されたものであり、柔軟なカートリッジ容器１が大気圧で圧縮されても、カートリッジ容器１内の飲料が一定量以上は流出しないようになっている。また、支持枠１３には、カートリッジ容器１内の飲料の減り具合を監視できる窓１３ａが設けられている。
【００１６】
図５および図６は、第２の実施形態を示す。この飲料ディスペンサ用カートリッジ容器１は、基本的な構成は第１の実施形態のものと同じであり、図５に示すように、前記鍔７の替りに、筒口部４の周りに凹溝９が設けられている点のみが異なる。この凹溝９は、上側の溝側面が筒口部４と直角に形成され、下側の溝側面が下方へ傾斜している。
【００１７】
図６、前記カートリッジ容器１に飲料を充填する状態を示す。この実施形態では、第１の実施形態のものと同様の係止具１１の二股の係止部材１１ｂが、筒口部４の凹溝９に両側から差し込まれ、筒口部４がホース１０の出口の下方で釣り下げ係止されるようになっている。
【００１８】
上述した実施形態では、カートリッジ容器を角形のボトル状ものとし、ポリエチレン樹脂で一体に形成したが、カートリッジ容器の形状は丸形のボトル状等、任意の形状とすることができ、その素材もポリエチレン樹脂に限定されることはない。
【００１９】
また、上述した実施形態では、カートリッジ容器の側壁部と底部を薄肉に形成したが、側壁部のみを薄肉に形成してもよい。さらに、筒口部を吊り下げ係止するための係止部は、実施形態のものの鍔や凹溝に限定されることはなく、これらの係止部を吊り下げ係止する係止具も、実施形態で使用した二股の係止部材を有するものに限定されることはない。
【図面の簡単な説明】
【００２０】
【図１】ａは第１の実施形態の飲料ディスペンサ用カートリッジ容器を示す外観斜視図、ｂはａの縦断面図
【図２】図１のカートリッジ容器を折り畳んだ状態を示す外観斜視図
【図３】図１のカートリッジ容器に飲料を充填する状態を示す外観斜視図
【図４】図１のカートリッジ容器を飲料ディスペンサにセットした状態を示す縦断面図
【図５】第２の実施形態の飲料ディスペンサ用カートリッジ容器を示す縦断面図
【図６】図５のカートリッジ容器に飲料を充填する状態を示す外観斜視図
【符号の説明】
【００２１】
１  カートリッジ容器
２  底部
３  側壁部
４  筒口部
５  頂部
６  キャップ
７  鍔
８  把手
９  凹溝
１０  ホース
１１  係止具
１１ａ  棒部材
１１ｂ  係止部材
１２  飲料ディスペンサ
１２ａ  供給口
１２ｂ  フロート弁
１２ｃ  タンク
１３  支持枠
１３ａ  窓
【図１】
2006131277.tif 000003
【図２】
2006131277.tif 000004
【図３】
2006131277.tif 000005
【図４】
2006131277.tif 000006
【図５】
2006131277.tif 000007
【図６】
2006131277.tif 000008